(57)【特許請求の範囲】
【請求項１】
前覆部と後覆部からなる覆部と、該覆部に取り付けられた弾性紐を備えて構成される褌タイプの男性用下着であって、
上記前覆部は、縦横両方向に伸縮可能なストレッチ生地で成る略逆三角形状の本体部を備え、該本体部の中央部には外面側へ膨出する袋状部を設けるとともに、該本体部の上縁部と左右の側縁部にそれぞれ非伸縮性の平紐を取り付けて構成され、
上記後覆部は、縦横両方向に伸縮可能なストレッチ生地で成る略逆三角形状の本体部を備えるとともに、該本体部の上縁部に非伸縮性の平紐を取り付けて構成され、
上記前覆部と上記後覆部は、該前覆部の下縁部と該後覆部の下縁部を相互に接合することで一体化されて上記覆部を構成する一方、
上記弾性紐は、上記前覆部の上縁部と上記後覆部の上縁部を、これらの左右両側においてそれぞれ弾性的に連結する構成であることを特徴とする男性用下着。
【請求項２】
請求項１において、
上記弾性紐は、長さ調整が可能に構成されていることを特徴とする男性用下着。
【請求項３】
請求項１において、
上記弾性紐は、着脱可能に構成されていることを特徴とする男性用下着。
【発明の詳細な説明】
【技術分野】
【０００１】  本願発明は、男性の身体的特徴を考慮し、これを反映させた男性用下着に関するものである。
【背景技術】
【０００２】  一般に、男性の身体的特徴から、男性用下着に要求される条件としては、例えば、
（ａ）腰を下ろしたり、しゃがんだりした時などに起こり易い、鼠径部の締め付けが少ないこと、
（ｂ）陰部とか下腹部及び股間部を、過度に圧迫しないこと、
（ｃ）陰部を安定的に保持できること、
（ｄ）陰部の蒸れを抑制できること、
等がある。【０００３】  特に、上記（ａ）とか（ｂ）の条件は、血液やリンパ液の流れが阻害されて起こる病気、例えば、下肢血栓や尿路結石等を予防する意味から要請されるもので、健康維持の観点から重要なものである。【０００４】  このような事情を考慮した上で、従来から種々の男性用下着が提案されている（例えば、引用文献１、引用文献２参照）。
【特許文献】
【特許文献１】特開２０１２−２２４９７１号公報
【特許文献２】特開平９−３１７０３号公報
【発明の概要】
【発明が解決しようとする課題】
【０００５】  ところで、特許文献１に示される男性用下着は、陰茎を上向きに支持し、陰嚢を下向きに解放して放熱可能とすることにより、陰茎と陰嚢とを区分けし、しかも、装着時に股付け根等の不快感を抑制できるようにした男性用下着であって、着用者の腰部を一巡可能に形成される腰紐と、上縁が下縁よりも広く形成され、上記上縁が前記腰ひもにより支持され、かつ、上記下縁が着用者の陰茎と陰嚢との間に至り、着用者の陰茎を上向き保持すると共に、着用者の陰嚢を解放する前当布と、上記下縁を支持する左右一対の固定ストラップとを備え、上記下縁と上記固定ストラップとの間に、上記固定ストラップよりも幅広い幅広部を設けたものである。【０００６】  係る構成によって、陰茎と陰嚢とを区分けし、陰茎を上向きに支持し、陰嚢を下向きに解放して放熱可能とすることにより、装着時における股付け根等の不快感を抑制できるというものである。【０００７】  しかしながら、この男性用下着には、陰部の蒸れを抑制できるものの、腰紐と前当布の下端を結ぶ固定ストラップが鼠径部に対応して配置されており、腰を下ろしたり、しゃがんだりした時には、該固定ストラップによって鼠径部が締め付けられるものであり、男性用下着の条件を満たすとは言い得ない。【０００８】  一方、特許文献２に示される男性用下着は、褌タイプの男性用下着であって、男性器の圧迫、及び臀部への食い込み等を軽減させるもので、胴回りに装着されるバンド部の前側中央にカップ状部を垂下するとともに、このカップ状部は、男性器を収容できるように折返し線で内側に折返し袋状に縫製し該カップ状部の下端前部とバンド部の後側中央を連結部で連結したものである。【０００９】  しかしながら、この男性用下着では、バンド部が伸縮することで男性用下着による男性器の圧迫、臀部への食い込みはそれなりに抑制できるものの、バンド部の伸縮作用のみでは連結部による鼠径部の締め付けを十分に抑制することはできないものであり、男性用下着の条件を満たすようなものとは言えない。【００１０】  そこで本願発明は、装着状態での股間部（鼠径部）への締め付け感が少なく、陰部とか下腹部及び股間部を過度に圧迫することもなく、しかも陰部を、蒸れを生じることなく安定的に保持できる男性用下着を提供することを目的としてなされたものである。
【課題を解決するための手段】
【００１１】  本願発明ではかかる課題を解決するための具体的手段として次のような構成を採用している。【００１２】  本願の第１の発明は、前覆部と後覆部からなる覆部と、該覆部に取り付けられた弾性紐を備えて構成される褌タイプの男性用下着であって、上記前覆部は、縦横両方向に伸縮可能なストレッチ生地で成る略逆三角形状の本体部を備え、該本体部の中央部には外面側へ膨出する袋状部を設けるとともに、該本体部の上縁部と左右の側縁部にそれぞれ非伸縮性の平紐を取り付けて構成され、上記後覆部は、縦横両方向に伸縮可能なストレッチ生地で成る略逆三角形状の本体部を備えるとともに、該本体部の上縁部に非伸縮性の平紐を取り付けて構成され、上記前覆部と上記後覆部は、該前覆部の下縁部と該後覆部の下縁部を相互に接合することで一体化されて上記覆部を構成する一方、上記弾性紐は、上記前覆部の上縁部と上記後覆部の上縁部を、これらの左右両側においてそれぞれ弾性的に連結する構成であることを特徴としている。【００１３】  本願の第２の発明は、上記第１の発明に係る男性用下着において、上記弾性紐を長さ調整が可能に構成したことを特徴としている。【００１４】  本願の第３の発明は、上記第１の発明に係る男性用下着において、上記弾性紐を着脱可能に構成したことを特徴としている。
【発明の効果】
【００１５】  （ａ）  本願の第１の発明に係る男性用下着では、
（ａ−１）  前覆部の本体部を縦横両方向に伸縮可能なストレッチ生地で構成したことで、該前覆部に対応する陰部とか下腹部への圧迫感、及び締め付け感が軽減される、
（ａ−２）  後覆部の本体部を縦横両方向に伸縮可能なストレッチ生地で構成したことで、例えば、使用者が腰を下ろしたり、しゃがんだりして上記後覆部に対して後方側への引張力が掛かった場合、該後覆部が適度に伸びることでその張力を可及的に吸収し、陰部とか股間部への締め付け作用が軽減される、
（ａ−３）  上記弾性紐が上記前覆部と後覆部の左右両側のみにしか（即ち、前覆部の上縁部の一端と後覆部の上縁部の一端の間、及び前覆部の上縁部の他端と後覆部の上縁部の他端の間のみにしか）設けられていないので、該弾性紐の弾性力が、陰部とか股間部に対して圧迫感とか締め付け感を与える力として作用するのが可及的に防止される、
（ａ−４）  上記前覆部の中央部に袋状部が設けられており、この袋状部に陰部を包み込むように収容し保持することから、該陰部が身体の内股部分に直接触れることがなく該陰部からの放熱性が良好となり、さらに、上記袋状部を含む上記本体部を構成するストレッチ生地として吸水性、通気性に優れたコットン素材を用いることで、上記陰部の蒸れが効果的に抑制され、男性用下着の快適な装着感が得られる、
（ａ−５）  上記弾性紐が、上記前覆部の上縁部と後覆部の上縁部の左右両側に、しかも非伸縮性の平紐部分に設けられているので、該前覆部と後覆部で構成される覆部は、上記弾性紐４によってズレを生じることなく安定的に身体側に保持され、上記男性用下着の快適な装着感が得られる、
（ａ−６）  上記前覆部は、その本体部の中央部に外面側へ膨出する袋状部を設ける一方、該本体部の上縁部と左右の側縁部にそれぞれ非伸縮性の平紐を取り付けるとともに、該平紐の両端部に弾性紐を取り付けたことで、下腹部に位置する陰部（陰嚢と陰茎）は上記袋状部に収納された状態で、該袋状部とともに上記弾性紐によって吊下げられた状態とされ、陰部は過度の圧迫感や締め付け感を生じることなく、安定的に保持される、
等のことから、これらの相乗効果として、装着状態での股間部（鼠径部）への締め付け感が少なく、陰部とか下腹部及び股間部を過度に圧迫することもなく、しかも陰部を、蒸れを生じることなく安定的に保持することができる男性用下着が得られる。【００１６】  （ｂ）  本願の第２の発明に係る男性用下着では、上記（ａ）に記載の効果に加えて、以下の特有の効果が得られる。即ち、この発明では、上記弾性紐を、長さ調整が可能に構成したので、上記弾性紐の長さを、男性用下着の使用者の身体的特性（例えば、胴回り寸法、腰回り寸法、陰部の状況等）に合わせて最適に設定することができ、男性用下着の快適で且つ安定した装着感を得ることができる。【００１７】  （ｃ）  本願の第３の発明に係る男性用下着では、上記（ａ）に記載の効果に加えて、以下の特有の効果が得られる。即ち、この発明では、上記弾性紐を装着・離脱自在に構成しており、これを離脱させることで男性用下着を身体の側方から容易に装着したり、取り外したりすることができ、例えば、上記弾性紐が一体構成とされ、男性用下着の着脱時には該男性用下着を下肢から抜き取り、あるいは差し入れる必要がある場に比して、男性用下着の交換作業が極めて容易であり、例えば、男性用下着の使用者が療養中であるとか、高齢者であって自由な身体移動が困難な状況下にあっては、その効果は顕著である。
【図面の簡単な説明】
【００１８】
【図１】本願発明の第１の実施の形態に係る男性用下着の単体状態での全体斜視図である。
【図２】図１に示した男性用下着の上方からの視認図である。
【図３】上記男性用下着を装着した場合の正面からの視認図である。
【図４】上記男性用下着を装着した場合の背面からの視認図である。
【図５】上記男性用下着を装着した場合の側面からの視認図である。
【図６】図１に示す男性用下着の後覆部の展開図である。
【図７】図１に示す男性用下着の前覆部の側面図である。
【図８】本願発明の第２の実施形態に係る男性用下着の後覆部の展開図である。
【図９】上記男性用下着の前覆部の側面図である。
【発明を実施するための形態】
【００１９】  「第１の実施形態」
図１及び図２には、本願発明の第１の実施形態に係る男性用下着Ｚを示している。この男性用下着Ｚは、いわゆる褌タイプの下着であって、次述する前覆部２と後覆部３からなる覆部１と、該覆部１に取り付けられる弾性紐４を備えて構成される。
【００２０】  Ａ：前覆部２
上記前覆部２は、上記覆部１の前部を構成し、男性用下着Ｚの人体への装着状態においては、その下腹部５２から陰部６０（即ち、陰嚢５８及び陰茎５９を含む部分）及び鼠径部５４を含む股間部５３を覆うもので（図３、図５参照）、図１〜図３に示すように、略逆三角形状の本体部２１を備えている。
【００２１】  この本体部２１は、例えば、コットン素材で縦横両方向に伸縮可能に織られたストレッチ生地で構成されている。そして、この本体部２１は、立体裁断及び立体縫製によって、その中央部分に、表面側へ膨出する縦長の袋状部２２を形成している（図７参照。  図中の曲線Ｌａは下腹輪郭線を示している）。
【００２２】  なお、ここでは上記本体部２１を、通気性及び吸湿性を考慮してコットン素材のストレッチ生地で構成しているが、本願発明においてはこれに限定されるものではなく、各種素材のストレッチ生地を用いることができることは言うまでもない（後述する後覆部３の本体部３１についても同様である）。
【００２３】  また、上記本体部２１は、その幅広の上縁部２ａに非伸縮性の平紐１１を、左右の側縁部２ｃには非伸縮性の平紐１２を、それぞれ設け、これら各平紐１１、１２の形状維持機能によって該本体部２１の略逆三角の形状が維持されるようにしている。
【００２４】  さらに、上記前覆部２の上縁部２ａの左右両端部（即ち、上記平紐１１の両端部）には、次述する弾性紐４の一部を構成する前側弾性紐体５がそれぞれ取り付けられている。
【００２５】  Ｂ：後覆部３
上記後覆部３は、上記覆部１の後部を構成し、男性用下着Ｚの人体への装着状態において臀部５４から股間部５３に至る部分を覆うもので（図４、図５参照）、図１及び図２に示すように、略逆三角形状（図６参照）の本体部３１を備えている。
【００２６】  この本体部３１は、上記前覆部２の本体部２１と同様に、例えば、コットン素材で縦横両方向に伸縮可能に織られたストレッチ生地で構成されている。そして、この本体部３１は、その幅広の上縁部３ａに非伸縮性の平紐１３を設けており、この平紐１３の形状維持機能によって該本体部３１の上縁部３ａの形状が維持される。
【００２７】  なお、上記後覆部３の側縁部３ｃは、平紐を取り付けることなく、伸縮性の糸を用いて篝縫いしており、該側縁部３ｃの縁方向への良好な伸縮性が維持されている。
【００２８】  さらに、上記前覆部３の上縁部３ａの左右両端部（即ち、上記平紐１３の両端部）には、次述する弾性紐４の一部を構成する前側弾性紐体６がそれぞれ取り付けられている。
【００２９】「前覆部２と後覆部３の一体化」
上述のようにそれぞれ構成された上記前覆部２と上記後覆部３は、図２に示すように、該前覆部２の狭幅の下縁部２ｂと、該後覆部３の下縁部３ｂを適度に重ね合わせて縫合固定することで、一体化され、男性用下着Ｚの覆部１を構成する。
【００３０】  この前覆部２と後覆部３を一体化して上記覆部１を構成した状態においては、上記前覆部２側の上記前側弾性紐体５と上記後覆部３側の上記後側弾性紐体６がそれぞれ対応している。そして、これら前側弾性紐体５と後側弾性紐体６は、着脱機能を兼ね備えた長さ調整具７によって連結されて弾性紐４を構成する。上記弾性紐４は、上記長さ調整具７での調整によって、その長さが任意に、且つ無段階に調整される。
【００３１】  Ｃ：男性用下着Ｚの装着状態
図３〜図５には，上記男性用下着Ｚを実際に身体に装着した状態を示している。
【００３２】  図３及び図５に示すように、上記前覆部２は下腹部５２から股間部５３部分を覆い、且つ上記袋状部２２には陰嚢５８と陰茎５９が、該陰茎５９が下向き状態で陰嚢５８の側部に沿うようにして収納され、且つ上記弾性紐４によって吊下げ状態で保持されている。
【００３３】  したがって、陰嚢５８と陰茎５９を含む陰部の保持が安定し、例え激しい動きをする場合においても、陰部の安定性が良好に維持されることで、身体動作に対する制約が軽減され、それだけ身体動作の自由度が高くなる。
【００３４】  また、上記前覆部２の本体部２１がコットン素材のストレッチ生地で構成されていることから、
第１に、ストレッチ生地の伸縮性によって上記袋状部２２に収納された陰嚢５８とか陰茎５９、さらに本体部２１に対応する下腹部５２とか股間部５３に、過度の圧迫力がかかることが無く、
第２に、ストレッチ生地の持つ通気性、放熱性によって陰部が蒸れるのが防止され、これらの相乗効果として、快適な装着感が得られる。
【００３５】  一方、上記後覆部３は、図４及び図５に示すように、使用者の腰部５１から臀部５４、さらに鼠径部５４を含む股間部５３までの広い範囲を覆う。そして、この後覆部３は、上記前覆部２とともに、上記弾性紐４によって、位置ずれとか落下が防止され、身体に対して安定的に装着される。
【００３６】  また、この後覆部３においては、上記本体部３１の側縁部３ｃがストレッチ生地の縁部を、伸縮性のある糸を用いて篝縫いした状態で、しかも非伸縮性の平紐は設けられていないので、その縦方向、即ち、股間部５３の前後方向において高い伸縮性が確保されている。
【００３７】  このため、例えば、上記男性用下着Ｚを装着した人が腰を下ろしたり、屈んだりすることで上記後覆部３にその縦方向（即ち、その上縁部３ａから下縁部３ｂへ向かう方向）に大きな張力が生じた場合、この張力は上記本体部３１のストレッチ生地部分の伸長によって効果的に吸収される。その結果、鼠径部５４を含む股間部５３に対する締め付け力及び圧迫力が共に減少し、男性用下着Ｚの使用者は、股間部５３等への締め付け感、圧迫感の無い、快適な装着感を得ることができる。
【００３８】  一方、上記弾性紐４は上記前側弾性紐体５と後側弾性紐体６に分割され、且つ着脱機能を併せ持つ長さ調整具７によって、長さ調整が可能で、且つ着脱可能とされている。
【００３９】  このため、例えば、上記弾性紐４の長さを、男性用下着Ｚの使用者の身体的特性（例えば、胴回り寸法、腰回り寸法、陰部の状況等）に合わせて最適に設定することで、快適で且つ安定した装着感を得ることができる。
【００４０】  また、上記弾性紐４が上記長さ調整具７によって着脱可能とされているので、該弾性紐４を離脱させることで男性用下着Ｚを身体の側方から容易に装着したり、取り外したりすることができ、例えば、上記弾性紐４が一体構成とされ、男性用下着Ｚの着脱時には該男性用下着Ｚを下肢から抜き取り、あるいは差し入れる必要がある場に比して、男性用下着Ｚの交換作業が極めて容易であり、例えば、男性用下着Ｚの使用者が療養中であるとか、高齢者であって自由な身体移動が困難な状況下にあっては、その効果は顕著である。
【００４１】「第２の実施形態」
本願発明の第２の実施形態に係る男性用下着Ｚは、上記第１の実施形態に係る男性用下着Ｚとその基本構成を同じとし、これと異なる点は、上記覆部１の前覆部２と上記後覆部３の形状である。したがって、ここではこの相違点のみを説明し、それ以外の構成及び作用効果については上記第１の実施形態における該当説明を援用し、ここでの説明を省略する。
【００４２】「相違点について」
（１）  上記前覆部２は、図９に示すように、上記袋状部２２を上記本体部２１の下半部において略球状に立体形成したものであり、該袋状部２２よりも上側部分は下腹輪郭線Ｌａに沿った形状とされる。したがって、上記第１の実施形態における前覆部２の袋状部２２（図７参照）と比較した場合、該袋状部２２より上側部分に余裕スペースがない分だけ、該袋状部２２における陰嚢５８と陰茎５９の収容スペースが少なく、それだけ陰嚢５８と陰茎５９に対する保持性能が高くなり、例えば、ハードな作業とかスポーツ競技を行うような場合に好適な形体といえる。
【００４３】（２）  上記後覆部３は、図８に示すように、上記第１の実施形態における後覆部３と同じように略逆三角形状の本体部３１を備えて構成される。ここで、例えば、ハードな作業とかスポーツ競技を行うような場合には、使用者が腰を下ろしたり、屈んだりしたときに該後覆部３にかかる後方側への引張力も大きくなり、それだけ股間部５３への締め付け感とか圧迫感も大きくなる。このため、この実施形態の後覆部３（図３参照）では、上記本体部３１の幅寸法を、上記第１の実施形態における本体部３１の幅寸法よりも狭くして、該本体部３１の伸長性を高め、これによって上記引張力を吸収し、股間部５３における締め付け感とか圧迫感の軽減を図り、快適な装着感が得られるようにしている。
【００４４】  以上のように、この第２の実施形態に係る男性用下着Ｚは、ハードな作業とかスポーツ競技を行う人が装着して使用するに好適な男性用下着である。
【産業上の利用可能性】
【００４５】  本願発明に係る男性用下着Ｚは、繊維製品加工分野において利用され得るものである。
【符号の説明】
【００４６】１    ・・覆部
２    ・・前覆部
３    ・・後覆部
４    ・・弾性紐
７    ・・長さ調整具
１１〜１３  ・・平紐
２１  ・・本体部
２２  ・・袋状部
３１  ・・本体部
Ｚ  ・・男性用下着
【要約】
【課題】装着状態での鼠径部への締め付け感が少なく、陰部とか下腹部及び股間部を過度に圧迫することもなく、陰部の安定的な保持と蒸れを効果的に防止できるようにした男性用下着Ｚを提供する。
【解決手段】男性用下着Ｚを、縦横両方向に伸縮可能なストレッチ生地で成る略逆三角形状の本体部２１の上縁部２ａと左右の側縁部２ｂにそれぞれ非伸縮性の平紐１１、１２を取り付けた前覆部２と、縦横両方向に伸縮可能なストレッチ生地で成る略逆三角形状の本体部３１の上縁部３ａに非伸縮性の平紐１３を取り付けた後覆部３を、該前覆部２の下端縁２ｃと該後覆部３の下端縁３ｃ同士を接合して一体化し、覆部１とするとともに、上記前覆部２の上縁部２ａと上記後覆部３の上縁部３ａを、該前覆部２と後覆部３の左右両側においてそれぞれ弾性紐４で連結して構成する。
【選択図】図１【図１】
0006963715.tif 000002
【図２】
0006963715.tif 000003
【図３】
0006963715.tif 000004
【図４】
0006963715.tif 000005
【図５】
0006963715.tif 000006
【図６】
0006963715.tif 000007
【図７】
0006963715.tif 000008
【図８】
0006963715.tif 000009
【図９】
0006963715.tif 000010